(57)【要約】【課題】本発明は、既に埋込型標識灯が設置されている場所であっても、複雑な施工や大掛かりな工事を伴うことなく、主となる発光以外の発光を実現可能とする埋込型標識灯装置を提供することを目的とする。【解決手段】本発明の埋込型標識灯装置Ｂは、上面に配設された光導出溝１ａ、光導出溝１ａに連通する内部空間、および光導出溝１ａと内部空間との間に液密に配設された透光窓１ｅを備え、嵌合部ｘを周縁に有するとともに、上面周縁部に互いに分散し、かつ、上下に貫通する複数の取付孔を備えた灯体１と、透光窓１ｅに向かって投光するように灯体１の内部空間に配設された光源２ａを含む光学ユニット２とを備えた埋込型標識灯Ａと、外部に露出している表面部に発光部ＬＥＤが設けられていると共に、周段部ｙを有する開口端を上面に備え、周段部ｙに埋込型標識灯Ａの灯体１の嵌合部ｘを受容する取付体Ｄと、埋込型標識灯Ａの灯体１に備えられた複数の取付孔を経由して埋込型標識灯Ａを取付体Ｄに固着する固着手段Ｅと、を具備している。【選択図】  図１
2007270468.tif 000002
【特許請求の範囲】
【請求項１】
上面に配設された光導出溝、光導出溝に連通する内部空間、および光導出溝と内部空間との間に液密に配設された透光窓を備え、嵌合部を周縁に有するとともに、上面周縁部に互いに分散し、かつ、上下に貫通する複数の取付孔を備えた灯体と、透光窓に向かって投光するように灯体の内部空間に配設された光源を含む光学ユニットとを備えた埋込型標識灯と；
外部に露出している表面部に発光部が設けられていると共に、周段部を有する開口端を上面に備え、周段部に埋込型標識灯の灯体の嵌合部を受容する取付体と；
埋込型標識灯の灯体に備えられた複数の取付孔を経由して埋込型標識灯を取付体に固着する固着手段と；
を具備していることを特徴とする埋込型標識灯装置。
【発明の詳細な説明】
【技術分野】
【０００１】
本発明は、空港において航空機のパイロットに対するマーカーライトなどとして用いたり、道路などに用いたりする埋込型標識灯装置に関する。
【背景技術】
【０００２】
例えば、特許文献１にみられるように、この種の埋込型標識灯装置は、設置予定の箇所の舗装工事に先立ち、その路面等の基礎層の所定箇所に、予め基台を埋設しておき、その舗装工事の後、舗装面の表皮を掘り返して、埋設されていた基台の上に取付体を固定し、埋込型標識灯を取付体に嵌合させてから、両者をボルトで締結等することで設置される。
【０００３】
ここで、舗装工事の後に、その舗装面を掘り起こして基台を埋設し、上記と同様に埋込型標識灯を設置することができる場合があるが、舗装面の強度を維持すするために、基礎部分に例えば鉄筋等の骨材が設置されている場合には、一般にその骨材を切断できないため、基台をあらためて埋め込むことが困難ある。特に、空港等の滑走路の場合には、大重量の飛行機の離発着や走行に耐えるように舗装面は高強度が要求されるため、前述のように、その基礎に予め基台を埋設しておく手法が多用されている。
【０００４】
また、既設の埋込型標識灯とは別に、他の目的で標識灯を設置したい要求が高まりつつある。例えば、空港においては、その滑走路の中心位置を示すために、その中心線に埋込型標識灯が規則的に埋設されているが、その滑走路と交差している誘導路の方向に、例えば赤色の別の光を放射させて、その誘導路を走行する飛行機に対して、進入禁止等の待機指示を表す標識灯などである。
【０００５】
ここで、誘導路の路肩に、一般的に交通信号機と同様の標識灯を設ければ、進入禁止指示等を簡単に表すことができるが、地上型のものでは障害物となる危険をはらんでおり、特に空港の滑走路周辺の場合には、このようなものを追加することは現実的ではないため、埋込型標識灯が好適となる。
【０００６】
しかしながら、前述のように、舗装面を掘り起こしてあらためて埋込型標識灯を増設しようとすることは、その施工上大掛かりとなることが多く、現実的には困難な場合が多い。
【０００７】
したがって、既に埋込型標識灯が設置されている場所であっても、複雑な施工や大掛かりな工事を伴うことなく、主となる発光以外の発光を追加できるようにすることが望まれている。
【特許文献１】特開２００３−３３６２２９号公報
【発明の開示】
【発明が解決しようとする課題】
【０００８】
本発明は上記問題に鑑みなされたもので、既に埋込型標識灯が設置されている場所であっても、複雑な施工や大掛かりな工事を伴うことなく、主となる発光以外の発光を実現可能とする埋込型標識灯装置を提供することを目的とする。
【課題を解決するための手段】
【０００９】
本発明の請求項記載の埋込型標識灯装置は、上面に配設された光導出溝、光導出溝に連通する内部空間、および光導出溝と内部空間との間に液密に配設された透光窓を備え、嵌合部を周縁に有するとともに、上面周縁部に互いに分散し、かつ、上下に貫通する複数の取付孔を備えた灯体と、透光窓に向かって投光するように灯体の内部空間に配設された光源を含む光学ユニットとを備えた埋込型標識灯と、外部に露出している表面部に発光部が設けられていると共に、周段部を有する開口端を上面に備え、周段部に埋込型標識灯の灯体の嵌合部を受容する取付体と、埋込型標識灯の灯体に備えられた複数の取付孔を経由して埋込型標識灯を取付体に固着する固着手段と、を具備していることを特徴とする。
【００１０】
なお、本発明において、用語の定義および技術的意味は次による。
【００１１】
本発明の埋込型標識灯装置は、埋込型標識灯、取付体および固着手段から構成され、種々の用途に用いることができる。たとえば、空港用としては滑走路中心線灯、誘導路中心線灯、停止線灯など、また道路用としては交叉点標識用などに適応することができる。以下、構成要素ごとに説明する。
【００１２】
＜埋込型標識灯について＞    埋込型標識灯は、灯体および光学ユニットを備える。
【００１３】
（灯体について）    灯体は、光導出溝、内部空間および透光窓を備えている。光導出溝は、灯体の路面上に露出している上面部に配設されている。この種の埋込型標識灯は光を路面に対して小さな仰角で照射する必要があり、そのために光導出溝を形成している。内部空間は、一般に路面内に埋設される位置にあり、外部に対して液密に構成される。そして、後述する光学ユニットを始め、受電部分などを収容する。透光窓は、例えばプリズムに代表され、プリズムで構成したときは、光学ユニットから放射された光路を屈折させる、すなわち光路を規制するために用いられる。すなわち、灯体の内部空間においては、ランプの光軸を路面に対して小角度で設定することが困難である。そこで、中間にプリズムを介在させて路面方向へ屈折させる。光路規制とは、光路を例えば上述のように所定の方向に規制することを意味する。なお、透光窓としては、光屈折の作用を奏しない例えば耐圧性の優れたガラス部材などを許容し、その用途によって種々が選択可能である。
【００１４】
また、灯体は、嵌合部および複数の取付孔を備えている。嵌合部は、灯体の周縁部に形成されていて、一般的には全体がほぼ円形であるが、一部を非円形部に形成しておき、また、灯体の嵌合部を受容する取付体もその形状に適合させておけば、取付体の周段部に嵌合する際に、嵌合のできる方向が一義的に決まるので、埋込型標識灯の向きを間違えることがなく、したがって、間違った方向に標識光を投光して誤誘導が行なわれる虞がないという利点がある。
【００１５】
この非円形部は、円形の内側および外側のいずれであってもよいが、好適には外形の大形化を回避できるので、内側に配置されている。複数の取付孔は、灯体の周縁部において、互いに分散するとともに、灯体の上下に貫通していているが、灯体内部の液密性を阻害しないように構成される。
【００１６】
（光学ユニットについて）    光学ユニットは、少なくとも光源を備え、また必要に応じて、その光源からの光を反射させる反射鏡を付加することができる。そして、光学ユニットは、また、光学ユニットは、所望により、位置規制枠、押圧片および弾性脱落阻止体などを備えることが許容される。以下、光学ユニットの構成要素ごとに説明する。
【００１７】
光源は、主たる発光を行うもので、小形高光出力の点からハロゲン電球が好ましいが、クリプトンやキセノンガスを封入した白熱電球においても比較的小形高光出力のものが得られるので、またそれほど小形高光出力を要求されない場合も含めて、その他の白熱電球または発光ダイオードなどの使用を許容する。ハロゲン電球にはバルブの表面に赤外線反射膜を形成したものがあるが、発光効率が高いので、この構成は本発明に好適である。
【００１８】
必要に応じて付加される反射鏡は、基体の内面に高反射率の反射膜を被着したものが好適であるが、基体自体が反射率の高い物質たとえば高純度アルミニウムなどからなる場合は別に反射膜を被着させる必要はない。また、基体としてはガラスや金属が適している。さらに、反射鏡の高さを小さくするために、基本形が回転２次曲面をなしている椀形の反射鏡の上下を平行にカットした薄形の反射鏡を用いることができる。
【００１９】
なお、所望により、光源と反射鏡とを一体化することができる。これにより、反射鏡の焦点位置に光源の発光中心が固定されるため、配光が乱れにくくなるとともに、集光効率が高くなる。
【００２０】
次に、本発明において、光学ユニットの必須要素ではないが、以下に説明する部材を含むことができる。
【００２１】
１  位置規制枠    位置規制枠は、光学ユニットが所定の配光特性を示すように一体化された光源又は反射鏡の配設位置を規制するとともに、その取り付けをサポートする部材である。位置規制枠を用いる場合、光学ユニットは、透光窓に正対する位置に配置されるように位置規制枠を介して後述する基板にねじなどの固着手段を用いて取り付けられる。光源又は反射鏡の配設位置を規制するには、反射鏡の前面を位置規制枠の背面に当接するのが効果的である。なお、反射鏡が左右または上下に動かないように位置規制枠に起立片を形成することができる。
【００２２】
２  押圧片    押圧片は、反射鏡をその背面から押圧して、前面が位置規制枠に当接させるために用いられる。なお、押圧片の基端を位置規制枠に固定することで、ユニット化しやすくなる。
【００２３】
３  弾性脱落阻止体    弾性脱落阻止体は、埋込型標識灯に大きな衝撃が加わったときでも反射鏡が所定の位置から脱落しないように作用する手段であり、位置規制枠に着脱自在に装着される。しかし、その装着のそれ以上の態様は問わない。したがって、弾性脱落阻止体は、たとえばばね性部材からなるか、ばね性部材を有しており、その弾性を利用して少なくとも衝撃が加わったときに、反射鏡を直接または間接弾性的に押さえてその脱落を阻止する。また、弾性脱落阻止体を位置規制枠に着脱自在に装着するには、どのような手段によってもよい。たとえば、弾性脱落阻止体の弾性を利用して着脱すると構造が簡単になるので好ましいが、要すればねじなどの固着手段を用いてもよい。また、弾性脱落阻止体を装着するために、位置規制枠に孔、凹み、鉤状部分などを適宜形成することができる。
【００２４】
＜取付体について＞    取付体は、周段部を有する開口端を上面に備え、周段部に埋込型標識灯の灯体の嵌合部を受容する。周段部は、標識灯の灯体の嵌合部に合致する大きさおよび形状になっている。開口端は、灯体の下方へ突出する部分があれば、それを受容したり、給電部材を標識灯に接続したりするなどのために利用される。
【００２５】
また、外部に露出している上部の表面には、例えば発光ダイオードが外部に光り放射可能となるように配設され、発光部を形成する。発光部としては、電球、放電灯、電界発光素子などの既存の光源が利用できるが、コンパクトで高輝度が得られ易い発光ダイオード素子が適している。なお、灯体から発せられる主の発光とこの発光部の発光を区別するため、その目的に応じて、発光部の発光色を適宜選択することができる。
【００２６】
このように構成される取付体は、調整リングまたはアダプタと称される部材であることを許容する。次に、取付体がそれぞれである場合について説明する。
【００２７】
１  調整リングが取付体を構成する場合    この場合、埋込型標識灯は、調整リングまたはおよびアダプタなどを介して基台に取り付けられる。調整リングは、その開口端の周段部に埋込型標識灯を直接受容して標識灯を取り付けるように構成されるとともに、周段部の外周側に埋込型標識灯の水平取付角度調整機構を備えている。水平取付角度調整機構は、調整リングの周段部の外周側に円弧状の長孔を形成し、基台やアダプタなどの開口端に植立したねじ孔に調整リングの長孔を介してボルトを緩くねじ込み、調整リングを長孔に沿って動かして所望の水平取付角度に設定してから、ボルトを締め付けることによって、調整リングを基台やアダプタなどに対して固定するように構成するのが一般的である。
【００２８】
２  アダプタが取付体を構成する場合    この場合、アダプタは、直接または調整リングを介して基台に取り付けられる。また、アダプタは、配管工法の基台に切込接着工法用に設計された埋込型標識灯を用いる場合などのために用いられる。そして、皿状をなし、その底部に電源給電端子を配設して、埋込型標識灯の受電端子に接続して給電するとともに、電源給電端子に接続する電源プラグを外部に露出させている。なお、電源プラグは、配管を経由して基台に導入されたレセプタクルに接続する。
【００２９】
また、アダプタは、水平取付角度調整機構を備えていてもよいし、備えていなくてもよい。
【００３０】
＜固着手段について＞    固着手段は、埋込型標識灯と取付体とを固着する手段であり、スタッドボルトおよびナットまたはボルトなどを用いることができる。なお、ナットとしては、通常のナットでもよいが、車両等の通過を考慮し、ボルト脚部が露出しない袋ナットが好適である。
【００３１】
スタッドボルトおよびナットを用いる場合、スタッドボルトを取付体の周段部から起立させる。そのためには、スタッドボルトの基部を取付体の周段部の表面に溶接したり、基端に固定用基部を有するスタッドボルトを、取付体の周段部に通孔を形成してその裏面から通孔にスタッドボルトを挿通し、固定用基部を取付体の裏面に回転不能に係止させたりすればよい。そうして、スタッドボルトに埋込型標識灯の取付孔を挿通させて、埋込型標識灯の嵌合部を取付体の周段部に嵌合させ、埋込型標識灯の上面に露出したスタッドボルトの先端にナットをねじ込み、締め付ける。
【００３２】
ボルトを用いる場合、取付体の周段部にねじ孔を形成しておき、そのねじ孔に埋込型標識灯の取付孔を合わせて埋込型標識灯の嵌合部を取付体の周段部に嵌合させ、埋込型標識灯の取付孔の上面からボルトを取付体のねじ孔にねじ込み、締め付ける。
【発明の効果】
【００３３】
本発明によれば、埋込型標識灯の灯体の嵌合部を受容する取付体の外部に露出した表面に設けられた発光部が、透光窓から主たる発光とは別に発光するように構成されているため、例えば舗装面の掘り返し等の複雑な施工や大掛かりな工事を伴うことなく、主となる発光以外の発光が実現される。
【発明を実施するための最良の形態】
【００３４】
以下、図面を参照して本発明の実施の形態を説明する。
【００３５】
図１及び図２は、本発明の埋込型標識灯装置の一実施形態を示し、図１は平面図、図２は断面図を示す。
【００３６】
＜埋込型標識灯Ａ＞    埋込型標識灯Ａは、灯体１、光学ユニット２、受電端子３および色フィルタ４などからなる。
【００３７】
（灯体１）    灯体１は、上部灯体１Ａ、下部灯体１Ｂ、Ｏリング１Ｃおよび取付ビス１Ｄからなる。
【００３８】
上部灯体１Ａは、図１に示すように、一部が非円形部ｘ´を有するほぼ円形の嵌合部ｘを周縁に有している。そして、上面に光導出溝１ａ、平坦部１ｂ、傾斜面１ｃ、取付孔１ｄおよび切欠係止縁１ｉを備えるとともに、光導出溝１ａに透光窓としてプリズム１ｅを装着し、下面に下部周段部１ｆを備えている。光導出溝１ａは、上部灯体１Ａの上面において、斜め上方に向かうように形成されている。平坦部１ｂは、上部灯体１Ａの上面中心領域に形成されている。傾斜面１ｃは、平坦部１ｂの周囲から周縁に形成され、したがって上部灯体１Ａの上面は全体として切頭円錐形状をなしている。なお、光導出溝１ａは上面の平坦部１ｂおよび傾斜面１ｃに跨って開口している。
【００３９】
取付孔１ｄは、灯体１の周縁部に互いに分散し、かつ、上部灯体１Ａおよび下部灯体１Ｂの両者を貫通して形成されていて、灯体１を調整リングからなる後述する取付体Ｄに取り付けるためのものである。
【００４０】
プリズム１ｅは、光路規制用の手段で光導出溝１ａと後述する内部空間１Ｅとの間にパッキング１ｅ１および押さえ金具１ｅ２により液密に配設されている。下部周段部１ｆは、下部灯体１Ａの下面周縁部に形成されている。
【００４１】
切欠係止縁１ｉは、図１に示すように、灯体１の上部灯体１Ａの周縁部の直径方向に対向する位置に形成されている。そして、図示しない灯体支持工具で一対の切欠係止縁１ｉを挟むことによって埋込型標識灯Ａを支持することができる。
【００４２】
下部灯体１ｂは、上部灯体１Ａの下面にＯリング１Ｃを介して液密に覆合する。また、下部灯体１Ｂの下面には、周縁部に当接面１ｇが、中央部に当接面１ｇより下方へ突出する円盤状部分１ｈが、それぞれ形成されている。そして、当接面１ｇは、上部灯体１Ａの下部周段部１ｆに下方から当接する。
【００４３】
Ｏリング１Ｃは、上部灯体１Ａの下部周段部１ｆと、下部灯体１Ｂの当接面１ｇに隣接する部分との間の角の部分に装着され、上部灯体１Ａおよび下部灯体１Ｂを液密に覆合させる。その結果、灯体１の内部に外部に対して液密な内部空間１Ｅが形成される。
【００４４】
取付ビス１Ｄは、下部灯体１Ｂの当接面１ｇと上部灯体１Ａの下部周段部１ｆとを固着する。
【００４５】
（光学ユニット２）    光学ユニット２は、光源２ａ、反射鏡２ｂおよびランプソケット２ｆなどがユニット化され、位置規制枠２ｃを介して下部灯体１Ｂの内面に取り付けられている。また、光学系として光学ユニット２の他に、ダイクロイックミラーからなる色フィルタ４などを含んでいる。ただし、色フィルタ４は、プリズム１ｅと一緒に取り付けられている。
【００４６】
光源２ａは、ハロゲン電球からなる。そして、背面から口金ピンが突出している。後述する反射鏡２ｂと口金セメントによって、光源２ａの発光中心が反射鏡２ｂの焦点に合致する位置で一体化されている。
【００４７】
反射鏡２ｂは、ガラス基体と、その内面に形成されたダイクロイックミラーからなる。そして、回転方物面の上下部分を平行にカットされて薄形になっていて、反射面には複数のファセットが形成されている。
【００４８】
ランプソケット２ｆは、受電端子３に接続するとともに、反射鏡２ｂと一体化された光源２ａの口金部に装着されて光源２ａに給電する。
【００４９】
位置規制枠２ｃは、反射鏡２ｂの前面の周囲に当接して、光源２ａ１および反射鏡２ｂのプリズム１ｅに対する位置を規制する。
【００５０】
そうして、光学ユニット２は、ビス５によって下部灯体１Ａ内面に取り付けられ、プリズム１ｅに対面する位置に支持している。
【００５１】
＜埋込型標識灯装置Ｂ＞    埋込型標識灯装置Ｂは、基台Ｃ、取付体Ｄ、固着手段Ｅおよび埋込型標識灯Ａを主体として構成されている。
【００５２】
（基台Ｃ）    基台Ｃは、皿状をなしていて、開口端１１に取付ねじ孔１２、受電コネクタ１２および給電端子１３を備えている。受電コネクタ１２は、基台Ｃの側壁を貫通して液密に取り付けられている。給電端子１３は、絶縁導線Ｗを経由して受電コネクタ１２に接続している。
【００５３】
（取付体Ｄ）    取付体Ｄは、調整リングからなり、一部が非円形部ｙ´を有するほぼ円形の周段部ｙを有するリング状をなしている。周段部ｙには、取付孔１ｄに対向する位置に通孔２１が形成されている。また、取付体Ｄは、その下面に嵌合座２２を、上面にシール段部２３および円弧状長孔２４を、それぞれ備えている。嵌合座２２は、基台Ｃの開口端１１に嵌合し、ボルトＢ１により基台Ｃに固定されている。周段部ｙは、埋込型標識灯Ａの嵌合部ｘを支承し、非円形部ｘ´はｙ´に嵌合する。シール段部２２は、埋込型標識灯Ａの当接面１ｇおよび円盤状部分１ｈの間に形成された角部との間でＯリングＯ１を挟持して埋込型標識灯Ａを液密に取り付ける。
【００５４】
円弧状長孔２４は、その複数が取付体Ｄの外周縁部に分散して形成され、基台Ｃの開口端１１の取付ねじ孔１２にねじ込まれたボルトＢ１との間で埋込型標識灯Ａの水平取付角度を調整することができる。
【００５５】
また、この取付体Ｄの表面の外周縁部には、ほぼ均等をなす間隔で小孔が形成され、その小孔に強固な透光樹脂で包囲された発光部を構成する赤色の発光ダイオードＬＥＤが、水平位置からもその発光を認識可能とするため、その頂部が取付体Ｄの表面から僅かに突出するように合計４個埋設されている。
【００５６】
発光ダイオードＬＥＤは、取付体Ｄのフランジを貫通し、他端が給電端子１３と電気接続するコネクタＧに結線され、これにより電力供給されて発光する。
（固着手段Ｅ）    本実施例において、固着手段Ｅは、スタッドボルトＢ２および袋ナットＮからなる。スタッドボルトＢ２は、取付体Ｄの通孔２１に下面から挿通して周段部ｙから起立するが、基端部が取付体Ｄの裏面に回転不能に固定されている。袋ナットＮは、埋込型標識灯Ａを取り付けた後にスタッドボルトＢ２の先端にねじ込まれて、固着手段Ｅにより埋込型標識灯Ａを取付体Ｄに固定している。
【００５７】
以上説明した実施の形態によれば、埋込型標識灯の灯体の嵌合部を受容する取付体の外部に露出した表面に設けられた発光ダイオードが、灯体の透光窓から放射される主発光とは別に発光することになる。
【００５８】
また、既存の埋込型標識灯装置について、既存の取付体を本実施形態のものに付け替える得るように構成させることができるため、例えば舗装面の掘り返し等の複雑な施工や大掛かりな工事が不要となる。
【図面の簡単な説明】
【００５９】
【図１】本発明の埋込型標識灯装置の一実施形態を示す平面図
【図２】図１に示した埋込型標識灯装置の概略断面図
【符号の説明】
【００６０】
１…灯体、１ａ…光導出溝、１ｅ…透光窓、２…光学ユニット、２ａ…光源、２ｂ…反射鏡、ｘ…嵌合部、ｙ…周段部、Ａ…埋込型標識灯、Ｂ…埋込型標識灯装置、Ｄ…取付体、Ｅ…固着手段  ＬＥＤ…発光部
【図１】
2007270468.tif 000003
【図２】
2007270468.tif 000004